【手続補正書】
【提出日】平成17年3月2日(2005.3.2)
【手続補正１】
【補正対象書類名】明細書
【補正対象項目名】特許請求の範囲
【補正方法】変更
【補正の内容】
【特許請求の範囲】
【請求項１】
データを送信する送信装置と該データを受信する受信装置との間の論理的な接続を示すコネクションＩＤを用いて通信を行うデータ通信システムであって、
前記論理的な接続を前記コネクションＩＤと該コネクションＩＤを設定する機器に固有のＩＤ情報とを用いて識別することを特徴とするデータ通信システム。
【請求項２】
同じ情報を複数の機器に対して伝送する通信方式を有するデータ通信システムであって、
前記通信方式に基づいて生成される通信パケットのデータ部に、複数の機器間の論理的な接続を示すＩＤ情報と該ＩＤ情報を設定した機器に固有のＩＤ情報とを格納することを特徴とするデータ通信システム。
【請求項３】
複数の機器により構成されたデータ通信システムであって、
複数の異なる機器間の通信を、複数の異なる第１のＩＤ情報と該第１のＩＤ情報を設定した機器に固有の第２のＩＤ情報とを用いて判別し、その判別結果に応じて通信されたデータを所定のメモリ空間に格納することを特徴とするデータ通信システム。
【請求項４】
データを送信する送信装置と該データを受信する受信装置との間の論理的な接続を示すコネクションＩＤを用いて通信を行うデータ通信システムに接続可能なデータ通信装置であって、
前記データを送受信する通信手段と、
前記論理的な接続を前記コネクションＩＤと該コネクションＩＤを設定する機器に固有のＩＤ情報とを用いて識別する識別手段とを有することを特徴とするデータ通信装置。
【請求項５】
同じ情報を複数の機器に対して伝送する通信方式を有するデータ通信システムに接続可能なデータ通信装置であって、
前記通信方式に基づく通信パケットを生成する生成手段と、
前記通信パケットのデータ部に、複数の機器間の論理的な接続を示すＩＤ情報と該ＩＤ情報を設定した機器に固有のＩＤ情報とを格納することを特徴とするデータ通信装置。
【請求項６】
複数の機器により構成されたデータ通信システムに接続可能なデータ通信装置であって、
複数の異なる機器間の通信を、複数の異なる第１のＩＤ情報と該第１のＩＤ情報を設定した機器に固有の第２のＩＤ情報とを用いて判別し、その判別結果に応じて通信されたデータを所定のメモリ空間に格納することを特徴とするデータ通信装置。
【請求項７】
データを送信する送信装置と該データを受信する受信装置との間の論理的な接続を示すコネクションＩＤを用いて通信を行うデータ通信システムに適用可能なデータ通信方法であって、
前記論理的な接続を前記コネクションＩＤと該コネクションＩＤを設定する機器に固有のＩＤ情報とを用いて識別することを特徴とするデータ通信方法。
【請求項８】
同じ情報を複数の機器に対して伝送する通信方式を有するデータ通信システムに適用可能なデータ通信方法であって、
前記通信方式に基づいて生成される通信パケットのデータ部に、複数の機器間の論理的な接続を示すＩＤ情報と該ＩＤ情報を設定した機器に固有のＩＤ情報とを格納することを特徴とするデータ通信方法。
【請求項９】
複数の機器により構成されたデータ通信システムに適用可能なデータ通信方法であって、
複数の異なる機器間の通信を、複数の異なる第１のＩＤ情報と該第１のＩＤ情報を設定した機器に固有の第２のＩＤ情報とを用いて判別し、その判別結果に応じて通信されたデータを所定のメモリ空間に格納することを特徴とするデータ通信方法。
【手続補正２】
【補正対象書類名】明細書
【補正対象項目名】００２１
【補正方法】変更
【補正の内容】
【００２１】
【課題を解決するための手段】
本発明のデータ通信システムは、データを送信する送信装置と該データを受信する受信装置との間の論理的な接続を示すコネクションＩＤを用いて通信を行うデータ通信システムであって、前記論理的な接続を前記コネクションＩＤと該コネクションＩＤを設定する機器に固有のＩＤ情報とを用いて識別することを特徴とする。
【手続補正３】
【補正対象書類名】明細書
【補正対象項目名】００２２
【補正方法】変更
【補正の内容】
【００２２】
また、本発明のデータ通信システムの他の特徴とするところは、同じ情報を複数の機器に対して伝送する通信方式を有するデータ通信システムであって、前記通信方式に基づいて生成される通信パケットのデータ部に、複数の機器間の論理的な接続を示すＩＤ情報と該ＩＤ情報を設定した機器に固有のＩＤ情報とを格納することを特徴とする。
【手続補正４】
【補正対象書類名】明細書
【補正対象項目名】００２３
【補正方法】変更
【補正の内容】
【００２３】
また、本発明のデータ通信システムのその他の特徴とするところは、複数の機器により構成されたデータ通信システムであって、複数の異なる機器間の通信を、複数の異なる第１のＩＤ情報と該第１のＩＤ情報を設定した機器に固有の第２のＩＤ情報とを用いて判別し、その判別結果に応じて通信されたデータを所定のメモリ空間に格納することを特徴とする。
【手続補正５】
【補正対象書類名】明細書
【補正対象項目名】００２４
【補正方法】削除
【補正の内容】
【手続補正６】
【補正対象書類名】明細書
【補正対象項目名】００２５
【補正方法】削除
【補正の内容】
【手続補正７】
【補正対象書類名】明細書
【補正対象項目名】００２６
【補正方法】削除
【補正の内容】
【手続補正８】
【補正対象書類名】明細書
【補正対象項目名】００２７
【補正方法】削除
【補正の内容】
【手続補正９】
【補正対象書類名】明細書
【補正対象項目名】００２８
【補正方法】削除
【補正の内容】
【手続補正１０】
【補正対象書類名】明細書
【補正対象項目名】００２９
【補正方法】削除
【補正の内容】
【手続補正１１】
【補正対象書類名】明細書
【補正対象項目名】００３０
【補正方法】削除
【補正の内容】
【手続補正１２】
【補正対象書類名】明細書
【補正対象項目名】００３１
【補正方法】削除
【補正の内容】
【手続補正１３】
【補正対象書類名】明細書
【補正対象項目名】００３２
【補正方法】削除
【補正の内容】
【手続補正１４】
【補正対象書類名】明細書
【補正対象項目名】００３３
【補正方法】削除
【補正の内容】
【手続補正１５】
【補正対象書類名】明細書
【補正対象項目名】００３４
【補正方法】削除
【補正の内容】
【手続補正１６】
【補正対象書類名】明細書
【補正対象項目名】００３５
【補正方法】削除
【補正の内容】
【手続補正１７】
【補正対象書類名】明細書
【補正対象項目名】００３６
【補正方法】削除
【補正の内容】
【手続補正１８】
【補正対象書類名】明細書
【補正対象項目名】００３７
【補正方法】削除
【補正の内容】
【手続補正１９】
【補正対象書類名】明細書
【補正対象項目名】００３８
【補正方法】削除
【補正の内容】
【手続補正２０】
【補正対象書類名】明細書
【補正対象項目名】００３９
【補正方法】削除
【補正の内容】
【手続補正２１】
【補正対象書類名】明細書
【補正対象項目名】００４０
【補正方法】削除
【補正の内容】
【手続補正２２】
【補正対象書類名】明細書
【補正対象項目名】００４１
【補正方法】削除
【補正の内容】
【手続補正２３】
【補正対象書類名】明細書
【補正対象項目名】００４２
【補正方法】削除
【補正の内容】
【手続補正２４】
【補正対象書類名】明細書
【補正対象項目名】００４３
【補正方法】削除
【補正の内容】
【手続補正２５】
【補正対象書類名】明細書
【補正対象項目名】００４４
【補正方法】削除
【補正の内容】
【手続補正２６】
【補正対象書類名】明細書
【補正対象項目名】００４５
【補正方法】削除
【補正の内容】
【手続補正２７】
【補正対象書類名】明細書
【補正対象項目名】００４６
【補正方法】削除
【補正の内容】
【手続補正２８】
【補正対象書類名】明細書
【補正対象項目名】００４７
【補正方法】削除
【補正の内容】
【手続補正２９】
【補正対象書類名】明細書
【補正対象項目名】００４８
【補正方法】削除
【補正の内容】
【手続補正３０】
【補正対象書類名】明細書
【補正対象項目名】００４９
【補正方法】削除
【補正の内容】
【手続補正３１】
【補正対象書類名】明細書
【補正対象項目名】００５０
【補正方法】変更
【補正の内容】
【００５０】
本発明のデータ通信装置は、データを送信する送信装置と該データを受信する受信装置との間の論理的な接続を示すコネクションＩＤを用いて通信を行うデータ通信システムに接続可能なデータ通信装置であって、前記データを送受信する通信手段と、前記論理的な接続を前記コネクションＩＤと該コネクションＩＤを設定する機器に固有のＩＤ情報とを用いて識別する識別手段とを有することを特徴とする。
【手続補正３２】
【補正対象書類名】明細書
【補正対象項目名】００５１
【補正方法】変更
【補正の内容】
【００５１】
また、本発明のデータ通信装置の他の特徴とするところは、同じ情報を複数の機器に対して伝送する通信方式を有するデータ通信システムに接続可能なデータ通信装置であって、前記通信方式に基づく通信パケットを生成する生成手段と、前記通信パケットのデータ部に、複数の機器間の論理的な接続を示すＩＤ情報と該ＩＤ情報を設定した機器に固有のＩＤ情報とを格納することを特徴とする。
【手続補正３３】
【補正対象書類名】明細書
【補正対象項目名】００５２
【補正方法】変更
【補正の内容】
【００５２】
また、本発明のデータ通信装置のその他の特徴とするところは、複数の機器により構成されたデータ通信システムに接続可能なデータ通信装置であって、複数の異なる機器間の通信を、複数の異なる第１のＩＤ情報と該第１のＩＤ情報を設定した機器に固有の第２のＩＤ情報とを用いて判別し、その判別結果に応じて通信されたデータを所定のメモリ空間に格納することを特徴とする。
【手続補正３４】
【補正対象書類名】明細書
【補正対象項目名】００５３
【補正方法】変更
【補正の内容】
【００５３】
本発明のデータ通信方法は、データを送信する送信装置と該データを受信する受信装置との間の論理的な接続を示すコネクションＩＤを用いて通信を行うデータ通信システムに適用可能なデータ通信方法であって、前記論理的な接続を前記コネクションＩＤと該コネクションＩＤを設定する機器に固有のＩＤ情報とを用いて識別することを特徴とする。
【手続補正３５】
【補正対象書類名】明細書
【補正対象項目名】００５４
【補正方法】変更
【補正の内容】
【００５４】
また、本発明のデータ通信方法の他の特徴とするところは、同じ情報を複数の機器に対して伝送する通信方式を有するデータ通信システムに適用可能なデータ通信方法であって、前記通信方式に基づいて生成される通信パケットのデータ部に、複数の機器間の論理的な接続を示すＩＤ情報と該ＩＤ情報を設定した機器に固有のＩＤ情報とを格納することを特徴とする。
【手続補正３６】
【補正対象書類名】明細書
【補正対象項目名】００５５
【補正方法】変更
【補正の内容】
【００５５】
また、本発明のデータ通信方法のその他の特徴とするところは、複数の機器により構成されたデータ通信システムに適用可能なデータ通信方法であって、複数の異なる機器間の通信を、複数の異なる第１のＩＤ情報と該第１のＩＤ情報を設定した機器に固有の第２のＩＤ情報とを用いて判別し、その判別結果に応じて通信されたデータを所定のメモリ空間に格納することを特徴とする。